(57)【要約】【課題】バーナと電気ヒータを備える温風暖房機において、リレーのオン故障の有無を自動的に検出することが可能な技術を提供する。【解決手段】本明細書は、温風暖房機を開示する。その温風暖房機は、給気口と吹出口を備える筐体と、燃料を燃焼させて空気を加熱するバーナと、電力を熱に変換して空気を加熱する電気ヒータと、電気ヒータへの電力供給線上に設けられており、オンの場合に電気ヒータへの通電を許可し、オフの場合に電気ヒータへの通電を禁止するリレーと、電気ヒータの温度を検出するヒータ温度センサと、給気口を介して室内から空気を取り込み、バーナと電気ヒータを通過させて、吹出口を介して室内に空気を送り出す送風ファンと、制御装置を備えている。その温風暖房機では、制御装置が、リレーをオフに制御している時のヒータ温度センサで検出される温度の経時的な変化に基づいて、リレーのオン故障の有無を判断する。【選択図】図３
2018063100.tif 000002
【特許請求の範囲】
【請求項１】
給気口と吹出口を備える筐体と、
燃料を燃焼させて空気を加熱するバーナと、
電力を熱に変換して空気を加熱する電気ヒータと、
電気ヒータへの電力供給線上に設けられており、オンの場合に電気ヒータへの通電を許可し、オフの場合に電気ヒータへの通電を禁止するリレーと、
電気ヒータの温度を検出するヒータ温度センサと、
給気口を介して室内から空気を取り込み、バーナと電気ヒータを通過させて、吹出口を介して室内に空気を送り出す送風ファンと、
制御装置を備えており、
制御装置が、リレーをオフに制御している時のヒータ温度センサで検出される温度の経時的な変化に基づいて、リレーのオン故障の有無を判断する、温風暖房機。
【請求項２】
制御装置が、温風暖房機に電源が投入された時に、リレーをオフに制御している状態で、ヒータ温度センサで検出される温度が上昇した場合に、リレーがオン故障していると判断する、請求項１の温風暖房機。
【請求項３】
制御装置が、電気ヒータを用いた暖房運転を終了した時に、リレーをオフに制御している状態で、ヒータ温度センサで検出される温度が、所定時間が経過した時に所定温度まで下降しない場合に、リレーがオン故障していると判断する、請求項１または２の温風暖房機。
【発明の詳細な説明】
【技術分野】
【０００１】
本明細書は、温風暖房機に関する。
【背景技術】
【０００２】
特許文献１に、給気口と吹出口を備える筐体と、筐体内に収容されており、燃料を燃焼させて空気を加熱するバーナと、筐体内に収容されており、電力を熱に変換して空気を加熱する電気ヒータと、電気ヒータへの電力供給線上に設けられており、オンの場合に電気ヒータへの通電を許可し、オフの場合に電気ヒータへの通電を禁止するリレーと、筐体内に収容されており、給気口を介して室内から空気を取り込み、バーナと電気ヒータを通過させて、吹出口を介して室内に空気を送り出す送風ファンと、制御装置を備える温風暖房機が開示されている。
【先行技術文献】
【特許文献】
【０００３】
【特許文献１】特開平５−３４０１０号公報
【発明の概要】
【発明が解決しようとする課題】
【０００４】
上記のような温風暖房機において、リレーがオン故障してしまうと、制御装置がリレーをオフに制御している場合であっても、電気ヒータへの通電が行われてしまい、電気ヒータやその近傍の部材が過熱されて損傷するおそれがある。バーナと電気ヒータを備える温風暖房機において、リレーのオン故障の有無を自動的に検出することが可能な技術が期待されている。
【０００５】
本明細書では、上記課題を解決する技術を提供する。本明細書では、バーナと電気ヒータを備える温風暖房機において、リレーのオン故障の有無を自動的に検出することが可能な技術を提供する。
【課題を解決するための手段】
【０００６】
本明細書は、温風暖房機を開示する。その温風暖房機は、給気口と吹出口を備える筐体と、燃料を燃焼させて空気を加熱するバーナと、電力を熱に変換して空気を加熱する電気ヒータと、電気ヒータへの電力供給線上に設けられており、オンの場合に電気ヒータへの通電を許可し、オフの場合に電気ヒータへの通電を禁止するリレーと、電気ヒータの温度を検出するヒータ温度センサと、給気口を介して室内から空気を取り込み、バーナと電気ヒータを通過させて、吹出口を介して室内に空気を送り出す送風ファンと、制御装置を備えている。その温風暖房機では、制御装置が、リレーをオフに制御している時のヒータ温度センサで検出される温度の経時的な変化に基づいて、リレーのオン故障の有無を判断する。
【０００７】
制御装置がリレーをオフに制御しているときには、リレーが正常に動作している場合には、電気ヒータの発熱は生じないが、リレーがオン故障している場合（すなわち、電気ヒータに通電がなされている場合）には、電気ヒータの発熱が生じる。そこで、上記の温風暖房機では、制御装置が、リレーをオフに制御している時のヒータ温度センサで検出される温度の経時的な変化に基づいて、リレーのオン故障の有無を判断する。上記の温風暖房機によれば、リレーがオン故障した場合に、電気ヒータやその近傍の部材が過熱により損傷する前に、リレーのオン故障を自動的に検出することができる。
【図面の簡単な説明】
【０００８】
【図１】実施例に係るガスファンヒータ２の構成を模式的に示す図。
【図２】実施例に係るガスファンヒータ２の電気系統を模式的に示す図。
【図３】実施例に係るガスファンヒータ２の電源投入時の動作を説明するフローチャート。
【図４】実施例に係るガスファンヒータ２の電源投入時におけるヒータ温度の経時的な変化とオン故障の有無の関係を説明する図。
【図５】実施例に係るガスファンヒータ２の暖房運転終了時の動作を説明するフローチャート。
【図６】実施例に係るガスファンヒータ２の暖房運転終了時におけるヒータ温度の経時的な変化とオン故障の有無の関係を説明する図。
【発明を実施するための形態】
【０００９】
一又はそれ以上の実施形態において、温風暖房機は、制御装置が、温風暖房機に電源が投入された時に、リレーをオフに制御している状態で、ヒータ温度センサで検出される温度が上昇した場合に、リレーがオン故障していると判断するように構成してもよい。
【００１０】
温風暖房機に電源が投入された時点では、電気ヒータは室温と同程度の温度となっている。そして、リレーが正常に動作している場合は、制御装置がリレーをオフに制御していれば、電気ヒータの温度が上昇することはない。これに対して、リレーがオン故障している場合は、制御装置がリレーをオフに制御していても、電気ヒータが発熱して、電気ヒータの温度が上昇していく。そこで、上記の温風暖房機では、制御装置が、温風暖房機に電源が投入された時に、リレーをオフに制御している状態で、ヒータ温度センサで検出される温度が上昇するか否かを判断し、ヒータ温度センサで検出される温度が上昇する場合に、リレーがオン故障していると判断する。このような構成とすることによって、リレーのオン故障を速やかに検出することができる。
【００１１】
一又はそれ以上の実施形態において、温風暖房機は、制御装置が、電気ヒータを用いた暖房運転を終了した時に、リレーをオフに制御している状態で、ヒータ温度センサで検出される温度が、所定時間が経過した時に所定温度まで下降しない場合に、リレーがオン故障していると判断するように構成してもよい。
【００１２】
電気ヒータを用いた暖房運転が終了した時点では、電気ヒータは高温となっている。リレーが正常に動作している場合は、制御装置がリレーをオフに制御していれば、電気ヒータの温度は放熱によって下降していく。これに対して、リレーがオン故障している場合は、制御装置がリレーをオフに制御していても、電気ヒータが発熱して、電気ヒータの温度がそれほど下降しない。そこで、上記の温風暖房機では、制御装置が、電気ヒータを用いた暖房運転を終了した時に、リレーをオフに制御している状態で、ヒータ温度センサで検出される温度が、所定時間が経過した時に所定温度まで下降するか否かを判断する。そして、制御装置は、ヒータ温度センサで検出される温度が、所定時間が経過した時に所定温度まで下降しない場合に、リレーがオン故障していると判断する。このような構成とすることによって、リレーのオン故障を速やかに検出することができる。
【００１３】
（実施例）
図１を参照しながら、温風暖房機の一実施形態に係るガスファンヒータ２について説明する。ガスファンヒータ２は、背面の給気口４を介して室内から空気を取り込み、吸い込んだ空気を燃焼用空気として燃料ガスを燃焼させ、燃料ガスの燃焼によって加熱された空気を前面の吹出口６から室内に送り出すことで、室内を暖房する。ガスファンヒータ２は、いわゆる開放式のガスファンヒータである。
【００１４】
ガスファンヒータ２は、燃料ガスを供給するガス供給管８と、ガス供給管８からの燃料ガスを燃焼させるバーナ１０と、給気口４から室内の空気を取り込み、加熱された空気を吹出口６から室内に送り出す送風ファン１２と、ガスファンヒータ２の運転を制御する制御部１４と、ユーザがガスファンヒータ２の運転を操作する操作部１６と、これらを収容する筐体１８を備えている。
【００１５】
給気口４は筐体１８の背面の上方側に形成されており、吹出口６は筐体１８の前面の下方側に形成されている。筐体１８の内部には、給気口４から流入した空気の一部をバーナ１０に燃焼用空気として供給し、残りをバーナ１０の燃焼排ガスと混合させた状態で吹出口６に導く内部空気通路２０が形成されている。送風ファン１２は、内部空気通路２０内でバーナ１０よりも下流側（バーナ１０と吹出口６の間）に配置されている。なお、給気口４には、塵埃等の侵入を抑制するエアフィルタ２２が設けられている。
【００１６】
内部空気通路２０内の、送風ファン１２と吹出口６の間には、電気ヒータ２４が設けられている。電気ヒータ２４は、通電によって発熱し、内部空気通路２０を通過する空気を加熱する。
【００１７】
ガス供給管８には、ガス供給管８を開閉する電磁式の開閉弁２６が設けられている。ガス供給管８には、ガスファンヒータ２の外部から都市ガス（例えば１３Ａなどの、メタンガス（ＣＨ４）を主成分とするガス）が供給される。バーナ１０には、その炎口の上方にイグナイタ２８が設けられている。
【００１８】
筐体１８の背面には、室内温度センサ３０が設けられている。室内温度センサ３０は給気口４から筐体１８内に吸い込まれる室内の空気の温度を検出する。室内温度センサ３０としては、熱電対やサーミスタなどの各種形式のものを用いることができる。
【００１９】
内部空気通路２０において、電気ヒータ２４の近傍には、ヒータ温度センサ３２が設けられている。ヒータ温度センサ３２は、電気ヒータ２４の温度を検出する。ヒータ温度センサ３２としては、熱電対やサーミスタなどの各種の形式のものを用いることができる。
【００２０】
図２に示すように、操作部１６は、ユーザがガスファンヒータ２の運転開始および運転停止を指示する運転スイッチ３４、ユーザに異常の発生を報知する異常報知ブザー３６、暖房目標温度を設定する温度設定部３８、暖房目標温度、室内温度等の各種情報を表示する表示部４０などを備えている。運転スイッチ３４は、押し操作が繰り返される毎に、制御部１４に対して運転開始と運転停止が交互に指示されるように構成されている。
【００２１】
制御部１４は、送風ファン１２、電気ヒータ２４、開閉弁２６、イグナイタ２８などの動作を制御する。制御部１４は、各種のプログラムやデータを記憶しておくためのメモリ４２と、計時用のタイマ４４を備えている。
【００２２】
制御部１４は、第１リレー４６および第２リレー４８のオン／オフを切換制御することで、電気ヒータ２４への通電を制御する。第１リレー４６と第２リレー４８は、それぞれ、電気ヒータ２４への電力供給線上に設けられており、オンの場合に電気ヒータ２４への通電を許可し、オフの場合に電気ヒータ２４への通電を禁止する。第１リレー４６および第２リレー４８の両方がオンの場合に、電気ヒータ２４に通電がなされ、第１リレー４６および第２リレー４８の一方または両方がオフの場合に、電気ヒータ２４への通電は遮断される。
【００２３】
（電源投入時の動作）
ガスファンヒータ２の電源コード（図示せず）を家屋のコンセントに差し込むと、ガスファンヒータ２に電源が投入される。ガスファンヒータ２に電源が投入されると、制御部１４は、図３に示す処理を行って、第１リレー４６および第２リレー４８のオン故障の有無を判別する。
【００２４】
ステップＳ２では、制御部１４は、初期基準ヒータ温度を取得する。本実施例のガスファンヒータ２では、制御部１４は、ヒータ温度センサ３２で検出される温度を、初期基準ヒータ温度に設定する。
【００２５】
ステップＳ４では、制御部１４は、第１リレー４６をオンに制御し、第２リレー４８をオフに制御する。この場合、第２リレー４８が正常に動作していれば、電気ヒータ２４には通電がなされない。しかしながら、第２リレー４８にオン故障が生じている場合には、電気ヒータ２４に通電がなされる。
【００２６】
ステップＳ６では、制御部１４は、タイマ４４による計時を開始する。
【００２７】
ステップＳ８では、制御部１４は、ステップＳ６でタイマ４４による計時を開始してからの経過時間が第１所定時間（例えば６０秒）以上であるか否かを判断する。経過時間が第１所定時間に満たない場合（ＮＯの場合）、処理はステップＳ１０へ進む。
【００２８】
ステップＳ１０では、制御部１４は、ヒータ温度センサ３２で検出される温度（ヒータ温度）が、ステップＳ２で取得した初期基準ヒータ温度に第１所定温度幅（例えば２０℃）を加算した値以上であるか否かを判断する。ヒータ温度が初期基準ヒータ温度に第１所定温度幅を加算した値に満たない場合（ステップＳ１０でＮＯの場合）、処理はステップＳ８へ戻る。ヒータ温度が初期基準ヒータ温度に第１所定温度幅を加算した値以上の場合（ステップＳ１０でＹＥＳの場合）、処理はステップＳ１２へ進む。
【００２９】
ステップＳ１２では、制御部１４は、第２リレー４８にオン故障が生じていると判断して、操作部１６を介してユーザに第２リレー４８にオン故障が生じている旨を報知する。図３の処理においてステップＳ１２が実行されるのは、ステップＳ６で第１リレー４６をオンに制御し、第２リレー４８をオフに制御してから、第１所定時間（例えば６０秒）が経過するまでに、電気ヒータ２４の温度が第１所定温度幅（例えば２０℃）以上上昇した場合である。図４に示すように、第２リレー４８が正常に動作していれば、時刻ｔ１で第１リレー４６をオンに制御し、第２リレー４８をオフに制御した場合、電気ヒータ２４には通電がされないから、時刻ｔ１から第１所定時間経過後の時刻ｔ２においても、電気ヒータ２４の温度は電源投入直後のヒータ温度である初期基準ヒータ温度Ｔ０のまま上昇することはない。これに対して、第２リレー４８にオン故障が生じている場合、時刻ｔ１で第１リレー４６をオンに制御し、第２リレー４８をオフに制御した場合、電気ヒータ２４に通電がなされる。この場合、電気ヒータ２４の温度は、時間の経過とともに上昇していき、時刻ｔ１から第１所定時間経過後の時刻ｔ２までに、初期基準ヒータ温度Ｔ０に第１所定温度幅ΔＴ１を加算した温度を超えることになる。従って、第１所定時間と第１所定温度幅を適切に設定しておくことで、図３に示すステップＳ６からステップＳ１２までの処理によって、第２リレー４８のオン故障の有無を検出することができる。ステップＳ１２の後、制御部１４は、第１リレー４６をオフに制御した上で、図３の処理を終了する。
【００３０】
ステップＳ８で、経過時間が第１所定時間以上となると（ＹＥＳとなると）、処理はステップＳ１４へ進む。
【００３１】
ステップＳ１４では、制御部１４は、第１リレー４６をオフに制御し、第２リレー４８をオフに制御する。
【００３２】
ステップＳ１６では、制御部１４は、タイマ４４による計時を開始する。
【００３３】
ステップＳ１８では、制御部１４は、ステップＳ１６でタイマ４４による計時を開始してからの経過時間がインターバル時間（例えば０．５秒）に達するまで待機する。経過時間がインターバル時間に達すると（ＹＥＳとなると）、処理はステップＳ２０へ進む。
【００３４】
ステップＳ２０では、制御部１４は、第１リレー４６をオフに制御し、第２リレー４８をオンに制御する。この場合、第１リレー４６が正常に動作していれば、電気ヒータ２４には通電がなされない。しかしながら、第１リレー４６にオン故障が生じている場合には、電気ヒータ２４に通電がなされる。
【００３５】
ステップＳ２２では、制御部１４は、タイマ４４による計時を開始する。
【００３６】
ステップＳ２４では、制御部１４は、ステップＳ２２でタイマ４４による計時を開始してからの経過時間が第２所定時間（例えば６０秒）以上であるか否かを判断する。経過時間が第２所定時間に満たない場合（ＮＯの場合）、処理はステップＳ２６へ進む。
【００３７】
ステップＳ２６では、制御部１４は、ヒータ温度センサ３２で検出される温度（ヒータ温度）が、ステップＳ２で取得した初期基準ヒータ温度に第２所定温度幅（例えば２０℃）を加算した値以上であるか否かを判断する。ヒータ温度が初期基準ヒータ温度に第２所定温度幅を加算した値に満たない場合（ステップＳ２６でＮＯの場合）、処理はステップＳ２４へ戻る。ヒータ温度が初期基準ヒータ温度に第２所定温度幅を加算した値以上の場合（ステップＳ２６でＹＥＳの場合）、処理はステップＳ２８へ進む。
【００３８】
ステップＳ２８では、制御部１４は、第１リレー４６にオン故障が生じていると判断して、操作部１６を介してユーザに第１リレー４６にオン故障が生じている旨を報知する。図３の処理においてステップＳ２８が実行されるのは、ステップＳ２０で第１リレー４６をオフに制御し、第２リレー４８をオンに制御してから、第２所定時間（例えば６０秒）が経過するまでに、電気ヒータ２４の温度が第２所定温度幅（例えば２０℃）以上上昇した場合である。図４に示すように、第１リレー４６が正常に動作していれば、時刻ｔ３で第１リレー４６をオフに制御し、第２リレー４８をオンに制御した場合、電気ヒータ２４には通電がされないから、時刻ｔ３から第２所定時間経過後の時刻ｔ４においても、電気ヒータ２４の温度は電源投入直後のヒータ温度である初期基準ヒータ温度Ｔ０のまま上昇することはない。これに対して、第１リレー４６にオン故障が生じている場合、時刻ｔ３で第１リレー４６をオフに制御し、第２リレー４８をオンに制御した場合、電気ヒータ２４に通電がなされる。この場合、電気ヒータ２４の温度は、時間の経過とともに上昇していき、時刻ｔ３から第２所定時間経過後の時刻ｔ４までに、初期基準ヒータ温度Ｔ０に第２所定温度幅ΔＴ２を加算した温度を超えることになる。従って、第２所定時間と第２所定温度幅を適切に設定しておくことで、図３に示すステップＳ２０からステップＳ２８までの処理によって、第１リレー４６のオン故障の有無を検出することができる。ステップＳ２８の後、制御部１４は、第２リレー４８をオフに制御した上で、図３の処理を終了する。
【００３９】
ステップＳ２４で、経過時間が第２所定時間以上となると（ＹＥＳとなると）、処理はステップＳ３０へ進む。
【００４０】
ステップＳ３０では、制御部１４は、第１リレー４６をオフに制御し、第２リレー４８をオフに制御する。ステップＳ３０の後、制御部１４は、図３の処理を終了して、操作部１６を介してユーザから暖房運転の開始が指示されるまで待機する。
【００４１】
（暖房運転開始時の動作）
ユーザが運転スイッチ３４を操作して、暖房運転の開始が指示されると、制御部１４は、送風ファン１２を駆動してバーナ１０に燃焼用空気を供給するとともに、開閉弁２６を開いてガス供給管８からバーナ１０にガスを供給し、イグナイタ２８で着火することで、バーナ１０の燃焼を開始させる。また、制御部１４は、第１リレー４６をオンに制御し、第２リレー４８をオンに制御することで、電気ヒータ２４への通電を行なう。これによって、ガスファンヒータ２は、給気口４を介して室内から空気を取り込み、バーナ１０と電気ヒータ２４で加熱した後、加熱された空気を吹出口６を介して室内に送り出すことで、室内を暖房する。
【００４２】
（暖房運転終了時の動作）
暖房運転の実行中に、ユーザが運転スイッチ３４を操作して、暖房運転の終了が指示されると、制御部１４は、開閉弁２６を閉じてバーナ１０を消火するとともに、図５に示す処理を行って、第１リレー４６および第２リレー４８のオン故障の有無を判別する。
【００４３】
ステップＳ３２では、制御部１４は、送風ファン１２を所定回転数（例えば６００ｒｐｍ）で駆動して、ポストパージ動作を開始する。
【００４４】
ステップＳ３４では、制御部１４は、第１基準ヒータ温度を取得する。本実施例のガスファンヒータ２では、制御部１４は、ヒータ温度センサ３２で検出される温度を、第１基準ヒータ温度に設定する。
【００４５】
ステップＳ３６では、制御部１４は、第１リレー４６をオンに制御し、第２リレー４８をオフに制御する。この場合、第２リレー４８が正常に動作していれば、電気ヒータ２４には通電がなされない。しかしながら、第２リレー４８にオン故障が生じている場合には、電気ヒータ２４に通電がなされる。
【００４６】
ステップＳ３８では、制御部１４は、タイマ４４による計時を開始する。
【００４７】
ステップＳ４０では、制御部１４は、ステップＳ３８でタイマ４４による計時を開始してからの経過時間が第３所定時間（例えば６０秒）に達するまで待機する。経過時間が第３所定時間に達すると（ＹＥＳとなると）、処理はステップＳ４２へ進む。
【００４８】
ステップＳ４２では、制御部１４は、ヒータ温度センサ３２で検出される温度（ヒータ温度）が、ステップＳ３４で取得した第１基準ヒータ温度から第３所定温度幅（例えば１５℃）を減算した値以下であるか否かを判断する。ヒータ温度が第１基準ヒータ温度から第３所定温度幅（例えば１５℃）を減算した値を超える場合（ステップＳ４２でＮＯの場合）、処理はステップＳ４４へ進む。
【００４９】
ステップＳ４４では、制御部１４は、第２リレー４８にオン故障が生じていると判断して、操作部１６を介してユーザに第２リレー４８にオン故障が生じている旨を報知する。図５の処理においてステップＳ４４が実行されるのは、ステップＳ３６で第１リレー４６をオンに制御し、第２リレー４８をオフに制御してから、第３所定時間（例えば６０秒）が経過するまでに、電気ヒータ２４の温度が第３所定温度幅（例えば１５℃）以上下降しなかった場合である。図６に示すように、第２リレー４８が正常に動作していれば、時刻ｔ５で第１リレー４６をオンに制御し、第２リレー４８をオフに制御した場合、電気ヒータ２４には通電がなされない。そして、送風ファン１２の駆動により電気ヒータ２４の冷却が行われるから、時刻ｔ５から第３所定時間経過後の時刻ｔ６において、電気ヒータ２４の温度は、暖房運転終了直後のヒータ温度である第１基準ヒータ温度Ｔ１から第３所定温度幅ΔＴ３を減算した温度以下になる。これに対して、第２リレー４８にオン故障が生じている場合、時刻ｔ５で第１リレー４６をオンに制御し、第２リレー４８をオフに制御した場合、電気ヒータ２４に通電がなされる。この場合、電気ヒータ２４は、送風ファン１２の駆動により徐々に冷却はされるものの、電気ヒータ２４への通電による発熱が存在するため、それほど大きく温度が下降しない。そのため、時刻ｔ５から第３所定時間経過後の時刻ｔ６において、電気ヒータ２４の温度は、第１基準ヒータ温度Ｔ１から第３所定温度幅ΔＴ３を減算した温度を超えることになる。従って、第３所定時間と第３所定温度幅を適切に設定しておくことで、図５に示すステップＳ３４からステップＳ４４までの処理によって、第２リレー４８のオン故障の有無を検出することができる。ステップＳ４４の後、制御部１４は、第１リレー４６をオフに制御した上で、図５の処理を終了する。
【００５０】
ステップＳ４２で、ヒータ温度が第１基準ヒータ温度から第３所定温度幅（例えば１５℃）を減算した値以下の場合（ステップＳ４２でＹＥＳの場合）、処理はステップＳ４６へ進む。
【００５１】
ステップＳ４６では、制御部１４は、第１リレー４６をオフに制御し、第２リレー４８をオフに制御する。
【００５２】
ステップＳ４８では、制御部１４は、タイマ４４による計時を開始する。
【００５３】
ステップＳ５０では、制御部１４は、ステップＳ４８でタイマ４４による計時を開始してからの経過時間がインターバル時間（例えば０．５秒）に達するまで待機する。経過時間がインターバル時間に達すると（ＹＥＳとなると）、処理はステップＳ５２へ進む。
【００５４】
ステップＳ５２では、制御部１４は、第２基準ヒータ温度を取得する。本実施例のガスファンヒータ２では、制御部１４は、ヒータ温度センサ３２で検出される温度を、第２基準ヒータ温度に設定する。
【００５５】
ステップＳ５４では、制御部１４は、第１リレー４６をオフに制御し、第２リレー４８をオンに制御する。この場合、第１リレー４６が正常に動作していれば、電気ヒータ２４には通電がなされない。しかしながら、第１リレー４６にオン故障が生じている場合には、電気ヒータ２４に通電がなされる。
【００５６】
ステップＳ５６では、制御部１４は、タイマ４４による計時を開始する。
【００５７】
ステップＳ５８では、制御部１４は、ステップＳ５６でタイマ４４による計時を開始してからの経過時間が第４所定時間（例えば６０秒）に達するまで待機する。経過時間が第４所定時間に達すると（ＹＥＳとなると）、処理はステップＳ６０へ進む。
【００５８】
ステップＳ６０では、制御部１４は、ヒータ温度センサ３２で検出される温度（ヒータ温度）が、ステップＳ５２で取得した第２基準ヒータ温度から第４所定温度幅（例えば５℃）を減算した値以下であるか否かを判断する。ヒータ温度が第２基準ヒータ温度から第４所定温度幅（例えば５℃）を減算した値を超える場合（ステップＳ６０でＮＯの場合）、処理はステップＳ６２へ進む。
【００５９】
ステップＳ６２では、制御部１４は、第１リレー４６にオン故障が生じていると判断して、操作部１６を介してユーザに第１リレー４６にオン故障が生じている旨を報知する。図５の処理においてステップＳ６２が実行されるのは、ステップＳ５４で第１リレー４６をオフに制御し、第２リレー４８をオンに制御してから、第４所定時間（例えば６０秒）が経過するまでに、電気ヒータ２４の温度が第４所定温度幅（例えば５℃）以上下降しなかった場合である。図６に示すように、第１リレー４６が正常に動作していれば、時刻ｔ７で第１リレー４６をオフに制御し、第２リレー４８をオンに制御した場合、電気ヒータ２４には通電がなされない。そして、送風ファン１２の駆動により電気ヒータ２４の冷却が行われるから、時刻ｔ７から第４所定時間経過後の時刻ｔ８において、電気ヒータ２４の温度は、時刻ｔ７でのヒータ温度である第２基準ヒータ温度Ｔ２から第４所定温度幅ΔＴ４を減算した温度以下になる。これに対して、第１リレー４６にオン故障が生じている場合、時刻ｔ７で第１リレー４６をオフに制御し、第２リレー４８をオンに制御した場合、電気ヒータ２４に通電がなされる。この場合、電気ヒータ２４の温度は、送風ファン１２の駆動により徐々に冷却はされるものの、電気ヒータ２４への通電による発熱が存在するため、徐々に上昇していく。そのため、時刻ｔ７から第４所定時間経過後の時刻ｔ８において、電気ヒータ２４の温度は、第２基準ヒータ温度Ｔ２から第４所定温度幅ΔＴ４を減算した温度を超えることになる。従って、第４所定時間と第４所定温度幅を適切に設定しておくことで、図５に示すステップＳ５２からステップＳ６２までの処理によって、第１リレー４６のオン故障の有無を検出することができる。ステップＳ６２の後、制御部１４は、第２リレー４８をオフに制御した上で、図５の処理を終了する。
【００６０】
ステップＳ６０で、ヒータ温度が第２基準ヒータ温度から第４所定温度幅（例えば５℃）を減算した値以下の場合（ステップＳ６０でＹＥＳの場合）、処理はステップＳ６４へ進む。
【００６１】
ステップＳ６４では、制御部１４は、第１リレー４６をオフに制御し、第２リレー４８をオフに制御する。ステップＳ６４の後、制御部１４は、図５の処理を終了して、ポストパージ動作を継続する。
【００６２】
なお、図５に示す処理において、ステップＳ３２で送風ファン１２を駆動する際の回転数は、直前まで行っていた暖房運転におけるバーナ１０の燃焼時間の長さに応じて増減させてもよい。また、ステップＳ４２の判断で用いる第３所定温度幅、およびステップＳ６０の判断で用いる第４所定温度幅は、ステップＳ３２で送風ファン１２を駆動する際の回転数に応じて、増減させてもよい。
【００６３】
以上のように、本実施例のガスファンヒータ２は、給気口４と吹出口６を備える筐体１８と、都市ガスを燃焼させて空気を加熱するバーナ１０と、電力を熱に変換して空気を加熱する電気ヒータ２４と、電気ヒータ２４への電力供給線上に設けられており、オンの場合に電気ヒータ２４への通電を許可し、オフの場合に電気ヒータ２４への通電を禁止する第１リレー４６（または第２リレー４８）と、電気ヒータ２４の温度を検出するヒータ温度センサ３２と、給気口４を介して室内から空気を取り込み、バーナ１０と電気ヒータ２４を通過させて、吹出口６を介して室内に空気を送り出す送風ファン１２と、制御部１４を備えている。制御部１４は、第１リレー４６（または第２リレー４８）をオフに制御している時のヒータ温度センサ３２で検出される温度の経時的な変化に基づいて、第１リレー４６（または第２リレー４８）のオン故障の有無を判断する。
【００６４】
図３に示すように、本実施例のガスファンヒータ２では、制御部１４が、ガスファンヒータ２に電源が投入された時に、第１リレー４６（または第２リレー４８）をオフに制御しているとき状態で、ヒータ温度センサ３２で検出される温度が上昇した場合に、第１リレー４６（または第２リレー４８）がオン故障していると判断する。
【００６５】
図５に示すように、本実施例のガスファンヒータ２では、制御部１４が、電気ヒータ２４を用いた暖房運転を終了した時に、第１リレー４６（または第２リレー４８）をオフに制御している状態で、ヒータ温度センサ３２で検出される温度が、第３所定時間（または第４所定時間）が経過した時に、第１基準ヒータ温度から第３所定温度幅を減算した温度（または第２基準ヒータ温度から第４所定温度幅を減算した温度）以下に下降しない場合に、第１リレー４６（または第２リレー４８）がオン故障していると判断する。
【００６６】
上記の実施例では、温風暖房機の一実施形態としてガスファンヒータ２を例示して説明したが、本明細書が開示する温風暖房機はこれに限られるものではなく、例えば、石油ファンヒータ、ガスストーブ、石油ストーブなどであってもよい。
【００６７】
上記の実施例では、温風暖房機が、給気口を介して室内から取り込んだ空気を、バーナの燃焼用空気として利用し、バーナからの燃焼排ガスを、吹出口を介して室内に送り出す、いわゆる開放式の温風暖房機である場合について説明したが、本明細書が開示する温風暖房機はこれに限られるものではない。本明細書が開示する温風暖房機は、例えば、給気口を介して室内から取り込んだ空気を、バーナの燃焼用空気として利用し、バーナからの燃焼排ガスを、室外に排出する、いわゆる半密閉式の温風暖房機であってもよいし、室外から取り込んだ空気を、バーナの燃焼用空気として利用し、バーナからの燃焼排ガスを、室外に排出する、いわゆる密閉式の温風暖房機であってもよい。
【００６８】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００６９】
２      ：ガスファンヒータ
４      ：給気口
６      ：吹出口
８      ：ガス供給管
１０    ：バーナ
１２    ：送風ファン
１４    ：制御部
１６    ：操作部
１８    ：筐体
２０    ：内部空気通路
２２    ：エアフィルタ
２４    ：電気ヒータ
２６    ：開閉弁
２８    ：イグナイタ
３０    ：室内温度センサ
３２    ：ヒータ温度センサ
３４    ：運転スイッチ
３６    ：異常報知ブザー
３８    ：温度設定部
４０    ：表示部
４２    ：メモリ
４４    ：タイマ
４６    ：第１リレー
４８    ：第２リレー
【図１】
2018063100.tif 000003
【図２】
2018063100.tif 000004
【図３】
2018063100.tif 000005
【図４】
2018063100.tif 000006
【図５】
2018063100.tif 000007
【図６】
2018063100.tif 000008